(57)【要約】【課題】医療行為の前後における医療器材の管理を正確に行うことが可能な医療器材管理支援システムを提供する。【解決手段】ある医療行為で使用する医療器材を表示させ、その中から一の医療器材が選択された場合、当該一の医療器材に含まれる個々の器材のカウントを行うためのカウント画面を表示させる表示処理部と、指示入力に基づいて前記カウントを実行し、前記医療器材のカウント履歴を作成するカウント履歴作成部と、を有し、前記表示処理部は、前記ある医療行為の前後におけるカウント履歴を表示させる医療器材管理支援システム。【選択図】図１
2018029755.tif 000002
【特許請求の範囲】
【請求項１】
ある医療行為で使用する医療器材を表示させ、その中から一の医療器材が選択された場合、当該一の医療器材に含まれる個々の器材のカウントを行うためのカウント画面を表示させる表示処理部と、
指示入力に基づいて前記カウントを実行し、前記医療器材のカウント履歴を作成するカウント履歴作成部と、
を有し、
前記表示処理部は、前記ある医療行為の前後における前記カウント履歴を表示させる医療器材管理支援システム。
【請求項２】
ある医療行為で使用する医療器材を表示させ、その中から一の医療器材が選択された場合、当該一の医療器材に含まれる個々の器材のカウントを行うためのカウント画面を表示させる表示処理部と、
指示入力に基づいて前記カウントを実行し、前記医療器材のカウント履歴を作成するカウント履歴作成部と、
前記ある医療行為の前後における前記カウント履歴を比較する比較部と、
を有する医療器材管理支援システム。
【請求項３】
前記ある医療行為で使用する医療器材の登録を行う医療器材登録部を有し、
前記医療器材登録部は、予め設定された前記ある医療行為で使用される医療器材の一部を削除することを特徴とする請求項１または２記載の医療器材管理支援システム。
【請求項４】
前記医療器材登録部は、予め設定された前記ある医療行為で使用される医療器材に、新たな医療器材を追加することを特徴とする請求項３記載の医療器材管理支援システム。
【請求項５】
前記新たな医療器材の追加は、前記ある医療行為の途中に実行可能であり、
前記カウント履歴作成部は、前記新たな医療器材のカウント履歴を作成することを特徴とする請求項４記載の医療器材管理支援システム。
【請求項６】
前記表示処理部は前記カウント画面として、前記医療器材に含まれる個々の器材のリスト及び／または画像を表示させることを特徴とする請求項１〜５のいずれか一つに記載の医療器材管理支援システム。
【請求項７】
前記カウント履歴作成部は、前記リスト中の器材名または個々の画像の選択、或いは器材毎に設けられた固有の識別子の入力を受け付けた場合に、前記カウントを実行することを特徴とする請求項６記載の医療器材管理支援システム。
【請求項８】
前記カウント履歴作成部は、前記カウントを行ったユーザー情報を前記カウント履歴に含めることを特徴とする請求項１〜７のいずれか一つに記載の医療器材管理支援システム。
【請求項９】
コンピュータに、
ある医療行為で使用する医療器材を表示させ、
表示された医療器材の中から一の医療器材が選択された場合、当該一の医療器材に含まれる個々の器材のカウントを行うためのカウント画面を表示させ、
指示入力に基づいて前記カウントを実行させ、
前記カウントに基づいて前記医療器材のカウント履歴を作成させ、
前記ある医療行為の前後における前記カウント履歴を表示させる医療器材管理支援プログラム。
【請求項１０】
コンピュータに、
ある医療行為で使用する医療器材を表示させ、
表示された医療器材の中から一の医療器材が選択された場合、当該一の医療器材に含まれる個々の器材のカウントを行うためのカウント画面を表示させ、
指示入力に基づいて前記カウントを実行させ、
前記カウントに基づいて前記医療器材のカウント履歴を作成させ、
前記ある医療行為の前後における前記カウント履歴を比較させる医療器材管理支援プログラム。
【発明の詳細な説明】
【技術分野】
【０００１】
本発明は医療器材管理支援システム、及び医療器材管理支援プログラムに関する。
【０００２】
患者に対し手術や処置などの医療行為を実施する際には、複数の医療器材を使用することが一般的である。
【０００３】
医療行為を実施するにあたり、使用する複数の医療器材を効率よく準備するために医療器材をデータベース化して管理する方法が知られている。たとえば、特許文献１には、医療行為に使用される器具をデータベース化して記憶する記憶装置が開示されている。
【先行技術文献】
【特許文献】
【０００４】
【特許文献１】特開２００２−３６９７８７号公報
【発明の概要】
【発明が解決しようとする課題】
【０００５】
ところで、医療器材の紛失等による医療事故（体内遺残、院内感染等）を防止するため、医療行為の前後における医療器材及び当該医療器材に含まれる個々の器材の数量を正確に管理する必要がある。
【０００６】
この管理には、ある医療行為に使用する医療器材をまとめた紙のリストを用いることが一般的である。作業者は、医療器材の使用前にリストを参照しながら手元にある医療器材のカウントを行い、医療行為で使用する全ての医療器材が揃っているかを確認する。また、作業者は、医療行為の後に同じリストを参照しながら医療器材の紛失等が無いかを確認する。
【０００７】
このような従来の管理方法では、紙のリストを参照しているだけであるため、カウントミスが発生する可能性があった。また、慣れていない作業者にとって、紙のリストでは類似器材の判別が難しく、カウントミスがより発生し易い状況となっていた。
【０００８】
更に、従来の管理方法では、カウントを行った履歴（たとえば、いつ、誰が、何をカウントしたか）を残すことが難しい。従って、たとえば手術後に器材の一部が足りない場合に、それがいつ無くなったのか（手術室に払い出す前から無いのか、手術中に無くなったのか等）を管理することが困難である。
【０００９】
また、リスト作成後に医療器材が変更される場合（手術前、手術中）があるが、口頭での伝達等で済ませる結果、十分な履歴管理がなされていない。特に、長時間に渡る手術では途中で人員交代が発生するため、医療器材の変更に関する伝達ミスが発生し易い。このように、医療器材の変更があった場合、医療行為の前後における医療器材の管理がより困難となる。
【００１０】
本発明の目的は、医療行為の前後における医療器材の管理を正確に行うことが可能な技術を提供することにある。
【課題を解決するための手段】
【００１１】
上記目的を達成するための主たる発明は、ある医療行為で使用する医療器材を表示させ、その中から一の医療器材が選択された場合、当該一の医療器材に含まれる個々の器材のカウントを行うためのカウント画面を表示させる表示処理部と、指示入力に基づいて前記カウントを実行し、前記医療器材のカウント履歴を作成するカウント履歴作成部と、を有し、前記表示処理部は、前記ある医療行為の前後における前記カウント履歴を表示させる医療器材管理支援システムである。
また、上記目的を達成するための別の発明は、ある医療行為で使用する医療器材を表示させ、その中から一の医療器材が選択された場合、当該一の医療器材に含まれる個々の器材のカウントを行うためのカウント画面を表示させる表示処理部と、指示入力に基づいて前記カウントを実行し、前記医療器材のカウント履歴を作成するカウント履歴作成部と、前記ある医療行為の前後における前記カウント履歴を比較する比較部と、を有する医療器材管理支援システムである。
本発明の他の特徴については、本明細書の記載により明らかにする。
【発明の効果】
【００１２】
本発明によれば、医療行為の前後における医療器材の管理を正確に行うことができる。
【図面の簡単な説明】
【００１３】
【図１】第１実施形態に係る医療器材管理支援システムの構成を示す模式図である。
【図２】第１実施形態に係る医療行為記憶部に記憶されているデータ例を示す図である。
【図３】第１実施形態に係る医療器材記憶部に記憶されているデータ例を示す図である。
【図４】第１実施形態に係る使用器材記憶部に記憶されているデータ例を示す図である。
【図５】第１実施形態に係る端末の表示部に表示される画面を示す。
【図６】第１実施形態に係る端末の表示部に表示される画面を示す。
【図７Ａ】第１実施形態において器材のカウントを行う際に、端末の表示部に表示される画面を示す。
【図７Ｂ】第１実施形態において器材のカウントを行う際に、端末の表示部に表示される画面を示す。
【図７Ｃ】第１実施形態において器材のカウントを行う際に、端末の表示部に表示される画面を示す。
【図８Ａ】第１実施形態において器材のカウントを行う際に、端末の表示部に表示される画面を示す。
【図８Ｂ】第１実施形態において器材のカウントを行う際に、端末の表示部に表示される画面を示す。
【図８Ｃ】第１実施形態において器材のカウントを行う際に、端末の表示部に表示される画面を示す。
【図８Ｄ】第１実施形態において器材のカウントを行う際に、端末の表示部に表示される画面を示す。
【図９】第１実施形態に係る使用器材記憶部に記憶されているデータ例を示す図である。
【図１０Ａ】第１実施形態において医療器材の削除を行う際に、端末の表示部に表示される画面を示す。
【図１０Ｂ】第１実施形態において医療器材の削除を行う際に、端末の表示部に表示される画面を示す。
【図１０Ｃ】第１実施形態において医療器材の削除を行う際に、端末の表示部に表示される画面を示す。
【図１１Ａ】第１実施形態において医療器材の追加を行う際に、端末の表示部に表示される画面を示す。
【図１１Ｂ】第１実施形態において医療器材の追加を行う際に、端末の表示部に表示される画面を示す。
【図１１Ｃ】第１実施形態において医療器材の追加を行う際に、端末の表示部に表示される画面を示す。
【図１１Ｄ】第１実施形態において医療器材の追加を行う際に、端末の表示部に表示される画面を示す。
【図１２Ａ】第１実施形態において医療器材の追加を行う際に、端末の表示部に表示される画面を示す。
【図１２Ｂ】第１実施形態において医療器材の追加を行う際に、端末の表示部に表示される画面を示す。
【図１２Ｃ】第１実施形態において医療器材の追加を行う際に、端末の表示部に表示される画面を示す。
【図１２Ｄ】第１実施形態において医療器材の追加を行う際に、端末の表示部に表示される画面を示す。
【図１３Ａ】第１実施形態において医療器材の追加を行う際に、端末の表示部に表示される画面を示す。
【図１３Ｂ】第１実施形態において医療器材の追加を行う際に、端末の表示部に表示される画面を示す。
【図１３Ｃ】第１実施形態において医療器材の追加を行う際に、端末の表示部に表示される画面を示す。
【図１３Ｄ】第１実施形態において医療器材の追加を行う際に、端末の表示部に表示される画面を示す。
【図１４】第１実施形態に係る医療器材管理支援システムの処理を示すフローチャートである。
【図１５】第１実施形態に係る医療器材管理支援システムの処理を示すフローチャートである。
【図１６】第２実施形態に係る医療器材管理支援システムの構成を示す模式図である。
【発明を実施するための形態】
【００１４】
後述する明細書及び図面の記載から、上記の主たる発明の他、少なくとも以下の事項が明らかとなる。
【００１５】
すなわち、前記ある医療行為で使用する医療器材の登録を行う医療器材登録部を有し、前記医療器材登録部は、予め設定された前記ある医療行為で使用される医療器材の一部を削除する医療器材管理支援システムが明らかとなる。
また、前記医療器材登録部は、予め設定された前記ある医療行為で使用される医療器材に、新たな医療器材を追加する医療器材管理支援システムが明らかとなる。
このようなシステムによれば、使用する医療器材の追加や削除を容易に行うことが可能となる。更に、このようなシステムによれば、医療行為の前後において変更された医療器材に関しても管理することが可能となる。
【００１６】
また、前記新たな医療器材の追加は、前記ある医療行為の途中に実行可能であり、前記カウント履歴作成部は、前記新たな医療器材のカウント履歴を作成する医療器材管理支援システムが明らかとなる。このようなシステムによれば、医療行為の途中で追加された医療器材に関しても管理を行うことが可能となる。
【００１７】
また、前記表示処理部は前記カウント画面として、前記医療器材に含まれる個々の器材のリスト及び／または画像を表示させる医療器材管理支援システムが明らかとなる。このようなシステムによれば、作業者は医療器材に含まれる個々の器材を把握し易くなる。
【００１８】
また、前記カウント履歴作成部は、前記リスト中の器材名または個々の画像の選択、或いは器材毎に設けられた固有の識別子の入力を受け付けた場合に、前記カウントを実行する医療器材管理支援システムが明らかとなる。このようなシステムによれば、作業者はカウントの指示入力を容易に行うことが可能となる。
【００１９】
また、前記カウント履歴作成部は、前記カウントを行ったユーザー情報を前記カウント履歴に含める医療器材管理支援システムが明らかとなる。このようなシステムによれば、カウントを行った作業者を併せて管理することが可能となる。
【００２０】
更に、コンピュータに、ある医療行為で使用する医療器材を表示させ、表示された医療器材の中から一の医療器材が選択された場合、当該一の医療器材に含まれる個々の器材のカウントを行うためのカウント画面を表示させ、指示入力に基づいて前記カウントを実行させ、前記カウントに基づいて前記医療器材のカウント履歴を作成させ、前記ある医療行為の前後における前記カウント履歴を表示させる医療器材管理支援プログラムが明らかとなる。
また、コンピュータに、ある医療行為で使用する医療器材を表示させ、表示された医療器材の中から一の医療器材が選択された場合、当該一の医療器材に含まれる個々の器材のカウントを行うためのカウント画面を表示させ、指示入力に基づいて前記カウントを実行させ、前記カウントに基づいて前記医療器材のカウント履歴を作成させ、前記ある医療行為の前後における前記カウント履歴を比較させる医療器材管理支援プログラムが明らかとなる。
これらのプログラムによれば、コンピュータを用いて医療行為の前後における医療器材の管理を正確に行うことができる。
【００２１】
＜第１実施形態＞
図１〜図１５を参照して、第１実施形態に係る医療器材管理支援システム（以下、「システム１」という場合がある）について説明する。
【００２２】
医療行為は、医師等によって実施される手術、治療、処置、検査等である。医療器材は、たとえば、手術用鉗子、メス、硬性鏡といった手術に用いられる器材や、生検用鉗子、超音波プローブ、上部・下部内視鏡といった検査や処置に用いられる器材である。本実施形態に係る医療器材は、複数の器材（個品）からなるセット（たとえば、複数の鉗子、メス、剪刀からなる手術用セット）を含む。また、本実施形態に係る医療器材（個品）には、二次元シンボルのような固有の識別子が付されていてもよい。
【００２３】
＝＝医療器材管理支援システム＝＝
図１に示すように、本実施形態に係るシステム１は、端末（この例では「端末Ｐ１」及び「端末Ｐ２」の２つ）、及びサーバＳを備える。各端末及びサーバＳは、イントラネット、ローカルエリアネットワーク（ＬＡＮ）、インターネット等のネットワークＮを介し、有線または無線通信可能に接続される。端末は、据え置き型のパーソナルコンピュータや、携帯端末（ノート型パーソナルコンピュータ、タブレット端末等）である。
【００２４】
＝＝サーバ＝＝
サーバＳは、各種情報の蓄積・管理を行ったり、端末に対して各種情報を送受信するコンピュータである。また、サーバＳは、端末間における情報の送受信を中継する役割を有する。サーバＳは、各端末が配置される病院内に設けられてもよいし、サーバ管理会社等、別の場所に設けられていてもよい。
【００２５】
サーバＳは、記憶部１０及び通信部２０を有する。記憶部１０（サーバ側の記憶部）は、電子カルテに関する情報や医療器材に関する情報を記憶する大容量の記憶装置である。本実施形態に係る記憶部１０は、端末から送信されるカウント履歴（後述）を記憶する。通信部２０は、ネットワークＮを介して各端末とデータの送受信を行う。
【００２６】
＝＝端末＝＝
端末Ｐ１及び端末Ｐ２は、医療行為で使用する医療器材の表示を行ったり、サーバＳとの間で情報の送受信を行うための装置である。各端末は、病院内の様々なエリアに配置することができる。たとえば、端末Ｐ１は使用前の医療器材を保管するエリア（医療器材の払い出しを行うエリア）に配置され、端末Ｐ２は使用後の医療器材を回収するエリアに配置される。なお、本実施形態において、「医療器材の使用前（使用後）」は、「（当該医療器材を使用する）医療行為の前（医療行為の後）」と同義である。
【００２７】
＝＝端末Ｐ１＝＝
本実施形態に係る端末Ｐ１は、ある医療行為の前に当該医療行為で使用する医療器材に含まれる個々の器材のカウントを実行し、カウント履歴を作成するための装置として機能する。端末Ｐ１は、通信部３０、記憶部６０、制御部７０を備え、表示部４０及び操作部５０に接続されている。
【００２８】
（通信部・表示部・操作部）
通信部３０は、ネットワークＮを介してサーバＳや端末Ｐ２とのデータの送受信を行う。表示部４０は、医療器材の画像や個々の器材のリスト等を表示する。表示部４０は、端末Ｐ１と一体化された構成であってもよい。操作部５０は、マウス等の入力手段である。或いは、タッチパネル方式の表示部４０が操作部５０を兼ねるように構成してもよい。操作部５０は、端末Ｐ１と一体化された構成であってもよい。作業者は、操作部５０を介して端末Ｐ１に対する指示入力を行う。
【００２９】
（記憶部）
記憶部６０は、各種のデータを記憶する大容量の記憶装置である。図１に示すように、本実施形態では、医療行為記憶部６０ａ、医療器材記憶部６０ｂ、使用器材記憶部６０ｃ、及び表示レイアウト記憶部６０ｄが記憶部６０の記憶領域の一部として構成される。
【００３０】
［医療行為記憶部］
医療行為記憶部６０ａは、ある患者に対して実施する予定の医療行為に関する情報を記憶する。図２は、医療行為記憶部６０ａに記憶されるデータの一例である。図２に示すように、実施される医療行為毎に、識別情報（医療行為ＩＤ）、医療行為名、医療行為を実施する日付、患者名、科目、術式、執刀医が関連付けて記憶されている。「術式」は、医療行為の方式（○○摘出術、○○切除術、○○処置等）である。
【００３１】
［医療器材記憶部］
医療器材記憶部６０ｂは、医療器材に関するデータを記憶している。図３は、医療器材記憶部６０ｂに記憶されるデータの一例である。図３に示すように、医療器材毎に、識別情報（医療器材ＩＤ）、種別、医療器材の名称、医療器材データ、個々の器材の名称（個品名称）、個々の器材データ（個品データ）が関連付けて記憶されている。
【００３２】
「種別」は、医療器材の分類である。本実施形態において、「オペセット」に含まれる医療器材は、鉗子や剪刃等、手術や処置で使用される複数の鋼製小物からなるセット等である。このような医療器材では、個々の鉗子や剪刃が器材（個品）に相当する。また、「オペ器材」に含まれる医療器材は、手術用の硬性鏡等、特殊な器具である。このような医療器材では、硬性鏡の各部品（鏡筒、カメラヘッド等）が器材（個品）に相当する。また、「借用器材」に含まれる医療器材は、手術のためにメーカから借り受けた借用品や医師個人の所有物である。なお、これら医療器材や個々の器材には、ディスポーザブル品（ガーゼ、カテーテル、注射針等）やインプラント品（人工関節、ステント等）も含まれる。また、「オペセット」、「オペ器材」、「借用器材」の種別は一例であり、この種別に従う必要はない。たとえば、「オペセット」と「オペ器材」を一つの種別として取り扱うことも可能である。
【００３３】
「医療器材データ」は、表示部４０に医療器材を表示するためのデータである。医療器材データは、たとえば、医療器材の名称に対応するテキストデータ（図３中では「ｔｘｔ」で示す）や、撮影機器により予め医療器材を撮影した画像データ（図３中では「ＪＰＧ」で示す）である。「個々の器材データ」は、表示部４０に個々の器材を表示するためのデータである。個々の器材データは、たとえば、一の医療器材に含まれる個々の器材をリスト化したデータ（図３中では「ｌｉｓｔ」で示す）や、撮影機器により予め個々の器材を撮影した画像データ（図３中では「ｊｐｇ」で示す）である。
【００３４】
［使用器材記憶部］
使用器材記憶部６０ｃは、ある医療行為で使用する医療器材が記憶されている。ある医療行為で使用する医療器材は予め設定されている。図４は、使用器材記憶部６０ｃに記憶されるデータの一例である。図４に示すように、術式毎に複数の医療器材（医療器材ＩＤ）が関連付けられている。これらの医療器材は、ある術式で通常使用する可能性が高い医療器材に相当する。なお、医療器材と関連付ける対象は術式に限られない。たとえば、医療行為名毎に複数の医療器材を関連付けてもよい。
【００３５】
［表示レイアウト記憶部］
表示レイアウト記憶部６０ｄは、各種表示画面（図５等参照）のレイアウトデータを有する。第１の表示処理部７０ａ（後述）は、レイアウトデータに基づいて表示部４０の表示画面を構成する。
【００３６】
なお、記憶部６０に記憶されているデータの一部または全部が、サーバＳの記憶部１０等に記憶されていてもよい。
【００３７】
（制御部）
制御部７０は、ＣＰＵおよびメモリ（いずれも図示なし）を備える。ＣＰＵは、メモリに記憶された動作プログラムを実行することにより各種の制御機能を実現する。メモリは、ＣＰＵに実行されるプログラムを記憶したり、プログラムの実行時に各種情報を一時的に記憶したりする記憶装置である。制御部７０は、操作部５０からの信号（指示入力）に基づいて、対応する処理を実行する。
【００３８】
本実施形態に係る制御部７０は、第１の表示処理部７０ａ、第１のカウント履歴作成部７０ｂ及び医療器材登録部７０ｃとして機能する。なお、医療器材登録部７０ｃは本発明における必須の構成では無い。
【００３９】
［第１の表示処理部］
第１の表示処理部７０ａは、ある医療行為で使用する医療器材を表示させ、その中から一の医療器材が選択された場合、当該一の医療器材に含まれる個々の器材のカウントを行うための第１のカウント画面を表示させる。
【００４０】
医療器材の表示は、医療器材記憶部６０ｂに記憶されている医療器材データに基づいて行われる。また、第１のカウント画面には、医療器材に含まれる個々の器材のリストや画像が表示される。第１の表示処理部７０ａは、医療器材記憶部６０ｂに記憶されている個々の器材データに基づいて、それらのリストや画像を表示させる。第１の表示処理部７０ａは「表示処理部」の一例であり、第１のカウント画面は「カウント画面」の一例である。
【００４１】
［第１のカウント履歴作成部］
第１のカウント履歴作成部７０ｂは、指示入力に基づいてカウントを実行し、医療器材のカウント履歴を作成する。
【００４２】
たとえば、作業者は、第１のカウント画面に表示された個々の器材リストの中から、手元にある器材を選択する（指示入力の一例）。第１のカウント履歴作成部７０ｂは、当該選択に基づいてカウントを実行する。また、器材が固有の識別子を有する場合、作業者は、端末Ｐ１に接続されたリーダー（図示なし）に識別子を読み込ませる（指示入力の一例）。第１のカウント履歴作成部７０ｂは、読み込みこまれた識別子（入力された識別子）に基づいて、当該識別子に対応する器材のカウントを実行する。第１のカウント履歴作成部７０ｂは、「カウント履歴作成部」の一例である。
【００４３】
ある医療器材に含まれる器材全てに対してカウントを行った後、第１のカウント履歴作成部７０ｂは、カウント結果に基づいて履歴情報（カウント履歴）を作成する。このようなカウント履歴（ある医療行為の前におけるカウント履歴）は、医療行為ＩＤやカウントが行われた時刻を示す時刻情報と関連付けられて記憶される。たとえば、第１のカウント履歴作成部７０ｂは、通信部３０を介してカウント履歴をサーバＳに送信する。サーバＳは、通信部２０を介して受信したカウント履歴を記憶部１０に記憶させる。
【００４４】
なお、第１のカウント履歴作成部７０ｂは、カウント履歴等を端末Ｐ１の記憶部６０に記憶させることも可能である。或いは、第１のカウント履歴作成部７０ｂは、カウント履歴等を、サーバＳを介して間接的にまたはネットワークＮを通じて直接的に端末Ｐ２に送信し、端末Ｐ２の記憶部１１０（後述）に記憶させることも可能である。
【００４５】
更に、本実施形態に係る第１のカウント履歴作成部７０ｂは、カウントを行った作業者を特定するためのユーザー情報（作業者名、作業者ＩＤ等）をカウント履歴に含めることができる。カウントを行った作業者は、たとえば端末へのログイン状況により特定することができる。
【００４６】
ここで、図５〜図８Ｄを参照し、患者Ｘに対する手術αで使用される医療器材について、端末Ｐ１で実行される表示処理及び当該医療器材に含まれる個々の器材のカウント処理の具体例について説明を行う。図５〜図８Ｄは、表示部４０に表示される画面を示す。また、作業者は操作部５０を介して各種入力（選択）を行うとする。
【００４７】
作業者は、手術αを行う手術室に医療器材を払い出す前に、手術αに必要な医療器材が揃っているかの確認を行う。
【００４８】
この際、作業者は端末Ｐ１からシステム１にログインし、手術αに対する医療行為ＩＤを入力する。第１の表示処理部７０ａは、医療行為記憶部６０ａから手術αに関する情報（図２参照）を読み出し、表示部４０に表示させる（図５参照）。この例では、手術αに関する情報のうち、科目名（整形外科）、術式、日付（図５では時間のみ）、執刀医が表示されている。また、この例ではログインした作業者名がエリアＥ５に表示される。なお、サーバＳや記憶部６０に記憶された電子カルテ情報から患者Ｘに対する手術αの情報を読み出して表示させることでもよい。
【００４９】
続いて、作業者は術式が表示されるエリアＥ１を選択する。第１の表示処理部７０ａは、当該選択を受けて、使用器材記憶部６０ｃから術式Ａで使用する医療器材のＩＤを読み出す。次に、第１の表示処理部７０ａは、医療器材登録部６０ｂから当該ＩＤに対応する医療器材に関するデータを読み出す。第１の表示処理部７０ａは、当該データに含まれる種別及び医療器材データに基づいて、種別毎に医療器材のテキストまたは画像を表示させる（図６参照）。この例では、オペセットが表示されるエリアＥ２には３つの医療器材のテキストが表示され、オペ器材が表示されるエリアＥ３には２つの医療器材の画像が表示され、借用器材が表示されるエリアＥ４には２つの医療器材の画像が表示されている。
【００５０】
その後、作業者は表示された医療器材に含まれる個々の器材のカウントを行う。
【００５１】
まず、個々の器材のリストを用いてカウントする例について述べる。作業者は、オペセットのエリアＥ２を選択する。第１の表示処理部７０ａは、当該選択を受けて、オペセットに含まれる医療器材を選択する画面を表示させる（図７Ａ参照）。作業者は、医療器材に含まれる個々の器材のカウントを行う対象となる医療器材のテキストを選択する。ここでは、エリアＥ２に表示されているテキストのうち、「整形基本セット」が選択されたとする。
【００５２】
第１の表示処理部７０ａは、整形基本セットに含まれる個々の器材のカウントを行うためのカウント画面を表示させる（図７Ｂ参照）。具体的には、第１の表示処理部７０ａは、整形基本セットに関連付けられている個品データ（整形基本セットに含まれる器材名をリスト化したデータ）に基づいて、器材リストを表示させる。カウント画面には、個々の器材名、数量（定数）、チェック欄が表示される。
【００５３】
作業者は、手元にある払い出し前の整形基本セットを参照しながら、器材が揃っているかどうかを確認する。たとえば、手元にある器材ｅ１の数量と、カウント画面に表示されている器材ｅ１の定数とが一致する場合、作業者はチェック欄を選択する。第１のカウント履歴作成部７０ｂは、当該選択に基づいて器材ｅ１のカウントを行い、チェック欄にチェックマークを表示させる。
【００５４】
一方、手元にある器材ｅ２の数量と表示された器材ｅ２の定数が異なる場合、作業者は器材ｅ２の定数欄を選択する。たとえば、器材ｅ２が１つ足りない場合には、器材ｅ２の定数欄を１回選択する。この場合、第１のカウント履歴作成部７０ｂは、当該選択に基づいて器材ｅ２のカウントを行い、チェック欄に不足分の数量「１」を表示させる。図７Ｂは、「第１のカウント画面」の一例である。
【００５５】
全ての器材のカウントが完了した後、作業者は、完了アイコンＩ５を選択する（図７Ｂ参照）。第１のカウント履歴作成部７０ｂは、上記確認作業の結果（カウント結果）に基づいて整形基本セットのカウント履歴を作成する。
【００５６】
また、第１の表示処理部７０ａは、カウントが完了した医療器材について、未カウントの医療器材と区別がつくような態様（表示色を変える等）で表示させる（図７Ｃ参照）。また、器材の不足がある場合、第１の表示処理部７０ａは、医療器材のテキストボックスに器材不足を示すタブを付して表示させることでも可能である（図７Ｃ参照）。
【００５７】
次に、個々の器材の画像を用いてカウントする例について述べる。作業者がオペ器材のエリアＥ３を選択した場合、第１の表示処理部７０ａは、当該選択に基づいて、オペ器材に含まれる医療器材を選択する画面を表示させる（図８Ａ参照）。作業者は、医療器材に含まれる個々の器材のカウントを行う対象となる医療器材の画像を選択する。
【００５８】
第１の表示処理部７０ａは、選択された医療器材に含まれる個々の器材のカウントを行うためのカウント画面を表示させる（図８Ｂ参照）。具体的には、第１の表示処理部７０ａは、選択された医療器材に関連付けられている個品データ（当該医療器材に含まれる器材の画像データ）に基づいて、個々の器材の画像を表示させる。
【００５９】
作業者は、手元にある払い出し前の医療器材を参照しながら、器材が揃っているかどうかを確認する。たとえば、手元にある器材と同じ画像がカウント画面に表示されている場合、作業者は当該画像を選択する。第１のカウント履歴作成部７０ｂは、当該選択に基づいて器材のカウントを行い、画像を選択済みの表示とする（図８Ｃ参照）。図８Ｂ、図８Ｃは、「第１のカウント画面」の一例である。
【００６０】
全ての器材のカウントが完了した後、作業者は、完了アイコンＩ６を選択する。第１のカウント履歴作成部７０ｂは、上記確認作業の結果（カウント結果）に基づいて医療器材のカウント履歴を作成する。
【００６１】
また、第１の表示処理部７０ａは、カウントが完了した医療器材について、未カウントの医療器材と区別がつくような態様で表示させる（図８Ｄ参照）。
【００６２】
更に、金属製の器材等には、二次元シンボルのような固有の識別子が付与されているものがある。この場合、当該識別子を読み取ることでカウントを行うことも可能である。
【００６３】
作業者は、リーダーアイコンＩ７を選択する（図８Ｂ等参照）。リーダーアイコンＩ７の選択により、端末Ｐ１に接続されているリーダー（図示なし）が起動する。作業者は、器材に付された識別子をリーダーに読み取らせる。第１のカウント履歴作成部７０ｂは、リーダーからの識別子の入力に基づいて器材のカウントを行う。
【００６４】
なお、器材に付される識別子は小さいため、作業者が識別子を見つけ難い場合がある。そこで、表示される個々の器材の画像中に識別子が付与されている箇所を示す矢印を表示させることでもよい（図８Ｂ等参照）。矢印が示された画像は、個々の器材データとして医療器材記憶部６０ｂに予め記憶されている。このような画像を用いることにより、作業者は識別子が付されている箇所を探す手間が省けるため、器材の確認作業を効率よく行うことができる。
【００６５】
全ての医療器材のカウントが完了した後、第１のカウント履歴作成部７０ｂは、作成したカウント履歴を、たとえばサーバＳに送信する。サーバＳは、カウント履歴（医療行為前におけるカウント履歴）を医療行為ＩＤ等と関連付けて、記憶部１０に記憶させる。一方、全ての医療器材の確認作業が完了した後、作業者は医療器材の払い出しを行う。
【００６６】
なお、上記例と異なり、医療行為ＩＤ毎に使用する医療器材（医療器材ＩＤ）が予め関連付けられていてもよい。この場合、表示画面で手術αに対する医療行為ＩＤが入力されると、第１の表示処理部７０ａは、医療器材登録部６０ｂから手術αに関連付けられている医療器材に関するデータを読み出す。第１の表示処理部７０ａは、当該データに含まれる種別及び医療器材データに基づいて、種別毎に医療器材のテキストまたは画像を表示させる。従って、作業者が術式を選択する手間を省略できるため、医療器材の表示をより簡便に行うことができる。この場合、使用器材記憶部６０ｃは不要となる。
【００６７】
また、医療器材がインプラント品やディスポーザブル品を含む場合、第１の表示処理部７０ａは、リストや画像中で、当該器材を他の器材と識別できる方法（たとえば、リスト中の文字や表示欄の色を変える、画像の外枠の色を変える）で表示させることができる。      
【００６８】
更に、上記例では、一の医療器材をテキストまたは画像のいずれか一方で表示させる例について述べたがこれに限られない。一の医療器材に対し、テキストと画像の両方を表示させることも可能である。この場合、医療器材記憶部６０ｂに記憶される各医療器材データは、画像データ及びテキストデータの双方が関連付けられている。
【００６９】
［医療器材登録部］
医療器材登録部７０ｃは、ある医療行為で使用する医療器材の登録を行う。
【００７０】
上述の通り、各医療行為については、術式等に応じて使用される医療器材が決まっている。従って、通常は、医療器材の払い出し前に、表示画面に表示された医療器材について確認作業（カウント処理）を行うことでよい。
【００７１】
一方、患者や病状によっては、一部の医療器材が不要であったり、別の医療器材を追加する場合もありうる。このような場合、使用器材登録部６０ｃに予め登録されている医療器材を変更（追加・削除）する必要が生じる。医療器材登録部７０ｃは、そのような医療器材の変更処理を行う。
【００７２】
具体的に、医療器材登録部７０ｃは、予め設定された、ある医療行為で使用される医療器材の一部を削除する。或いは、医療器材登録部７０ｃは、予め設定された、ある医療行為で使用される医療器材に、新たな医療器材を追加する。医療器材登録部７０ｃは、変更した医療器材の情報を使用器材記憶部６０ｃに記憶させる。たとえば、患者Ｘに対する手術αで適用される術式Ａについて、医療器材の一部（医療器材ＩＤ：Ｅ−０１２）を削除した場合、使用器材記憶部６０ｃには術式Ａａとして新たな医療器材の情報が記憶される（図９参照）。同様に、患者Ｘに対する手術αで適用される術式Ａについて、ある医療器材（医療器材ＩＤ：Ｅ−０３０）を追加した場合、使用器材記憶部６０ｃには術式Ａａａとして新たな医療器材の情報が記憶される（図９参照）。
【００７３】
また、医療器材登録部７０ｃは、医療行為記憶部６０ａの情報を更新する。たとえば、上記の例において、医療器材登録部７０ｃは、患者Ｘに対する手術αで適用される術式を術式Ａから術式Ａａ（或いは術式Ａａａ）に更新する。医療器材登録部７０ｃは、更新した情報を、たとえばサーバＳに送信する。サーバＳは、更新した情報を記憶部１０に記憶させる。
【００７４】
ここで、図１０Ａ〜図１３Ｄを参照して、患者Ｘに対する手術αで適用される術式Ａに関連付けられている医療器材について、端末Ｐ１で削除・追加を行う処理について説明する。図１０Ａ〜図１３Ｄは、表示部４０に表示される画面を示す。また、作業者は操作部５０を介して各種入力（選択）を行うとする。
【００７５】
まず、図６に示す画面に表示されたオペセットの中から「整形基本追加セット」を削除する例について述べる。
【００７６】
トップ画面において、作業者はオペセットのアイコンＩ１を選択する。医療器材登録部７０ｃは、当該選択に基づいて、オペセットに含まれる医療器材を設定する設定画面に切り替える（図１０Ａ参照）。
【００７７】
作業者は、複数ある医療器材の中から必要な医療器材のみを選択する（図１０Ｂ参照。図１０Ｂにおいて選択された医療器材をハッチングで示している）。必要な医療器材を選択した後、作業者はＳＥＴアイコンＩ８を選択する。医療器材登録部７０ｃは、術式Ａについて「整形基本追加セット」を削除した術式Ａａのデータを新た作成し、使用器材登録部６０ｃに記憶させる。また、医療器材登録部７０ｃは、医療行為記憶部６０ａの情報を更新する。この場合、表示部４０には、オペセットの一覧から「整形基本追加セット」が削除された画面が表示される（図１０Ｃ参照）。なお、オペ器材及び借用器材における医療器材の削除については、設定画面で表示される医療器材がテキストでは無く画像である他は上記と同様の方法で行うことができる。
【００７８】
次に、医療器材の追加について、トップ画面に表示されたオペセットに「単包メスホルダー」を追加する例について述べる。
【００７９】
トップ画面において、作業者は追加アイコンＩ４を選択する。医療器材登録部７０ｃは、当該選択に基づいて、医療器材を追加するための追加画面に切り替える（図１１Ａ参照）。追加画面には、種別のアイコン（アイコンＩ９〜アイコンＩ１１）が表示される。
【００８０】
図１１Ａの追加画面において、作業者はアイコンＩ９（オペセットに対応するアイコン）を選択する。医療器材登録部７０ｃは、オペセットに追加する医療器材を選択する選択画面に切り替える（図１１Ｂ参照）。
【００８１】
作業者は、複数の医療器材の中から、追加する医療器材を選択する（図１１Ｃ参照。図１１Ｃにおいて選択された医療器材をハッチングで示している）。追加する医療器材を選択した後、作業者は追加アイコンＩ１２を選択する。医療器材登録部７０ｃは、術式Ａについて「単包メスホルダー」を追加した術式Ａａａのデータを新たに作成し、使用器材登録部６０ｃに記憶させる。また、医療器材登録部７０ｃは、医療行為記憶部６０ａの情報を更新する。この場合、表示部４０には、オペセットの一覧に「単包メスホルダー」が追加された画面が表示される（図１１Ｄ参照）。また、表示部４０の追加エリアＥ６には、追加された医療器材の名称が表示される（図１１Ｄ参照）。このように追加された医療器材名を別枠で表示させることにより、作業者は追加された医療器材を容易に把握することができる。
【００８２】
更に、医療器材の追加について、借用器材に対して新たな医療器材を追加する例について述べる。
【００８３】
医療器材記憶部６０ｂに予め記憶されている借用器材については、上記の方法で追加することができる。一方、借用器材に相当する医療器材は、メーカからの借用品であったり、医師個人の所有物であるため、オペセットやオペ器材に相当する医療器材のように十分な情報管理がなされていない（医療器材記憶部６０ｂに予め記憶されていない）場合がある。ここでは、このような借用器材を新たな医療器材として追加する例について述べる。
【００８４】
図１１Ａの画面において、作業者がアイコンＩ１１（借用器材に対応するアイコン）を選択すると、医療器材登録部７０ｃは、借用器材に新たな医療器材を追加する追加画面に切り替える（図１２Ａ参照）。追加画面には、追加アイコンＩ１３が表示されている。
【００８５】
作業者が追加アイコンＩ１３を選択すると、借用器材に関する画像データの一覧がテキスト表示される（図１２Ｂ参照）。作業者は、一覧の中から所望の画像データ（ここではライナートライアルの画像データ）を選択する。なお、一覧として表示される借用器材の画像データは予め撮影機器により撮影され、記憶部６０に記憶されている。或いは、記憶されている画像データの中から所望の医療器材を選択するのではなく、追加する医療器材をその場で撮影した画像データを用いることでもよい。
【００８６】
医療器材登録部７０ｃは、選択された画像データに基づいて医療器材の画像を表示部４０に表示させる（図１２Ｃ参照）。ここで、作業者が追加アイコンＩ１４を選択すると、医療器材登録部７０ｃは、ライナートライアルの情報を医療器材記憶部６０ｂに記憶させると共に、術式Ａについて「ライナートライアル」を追加した術式Ａａａａのデータを新た作成し、使用器材記憶部６０ｃに記憶させる。また、医療器材登録部７０ｃは、医療行為記憶部６０ａの情報を更新する。この場合、表示部４０には、借用器材の一覧に「ライナートライアル」が追加された画面が表示される（図１２Ｄ参照）。また、表示部４０の追加エリアＥ６には、追加された医療器材の名称が表示される（図１２Ｄ参照）。
【００８７】
更に、図１２Ｃに示すライナートライアルのように、追加する医療器材が複数の器材を含んでいる場合がある。この場合、医療器材を追加する際に個々の器材を併せて登録することも可能である。この場合、作業者は図１２Ｃに示す詳細アイコンＩ１５を選択する。医療器材登録部７０ｃは、個品登録画面を表示させる（図１３Ａ参照）。作業者が個品登録アイコンＩ１６を選択すると、ライナートライアルの個品に関する画像データの一覧が表示される（図１３Ｂ参照）。作業者は、一覧の中から所望の画像データを選択する。なお、個品の画像データは医療器材の画像データと同様、予め記憶部６０に記憶されていてもよいし、その場で撮影したものでもよい。
【００８８】
医療器材登録部７０ｃは、選択された画像データに基づいて個品の画像を、ライナートライアルの画像と並べて表示部４０に表示させる（図１３Ｃ参照）。ここで、作業者が完了アイコンＩ１７を選択すると、ライナートライアルに対して個品の登録がなされる。このデータは、医療器材記憶部６０ｂに記憶される。
【００８９】
更に、作業者が明細情報アイコンＩ１８を選択すると、医療器材登録部７０ｃは、ライナートライアルに関する明細情報を入力するためのウインドウを表示させる（図１３Ｄ参照）。作業者はウインドウ内に明細情報を入力することができる。完了アイコンＩ１７が選択された場合、医療器材登録部７０ｃは、明細情報を医療器材に関連付けて医療器材記憶部６０ｂに記憶させる。
【００９０】
なお、医療器材が追加された場合、作業者は払い出し前に上述のような確認作業（カウント処理）を行う。
【００９１】
また、医療行為の途中で不測の事態（器材の破損等）により医療器材の追加が必要になる場合もありうる。本実施形態におけるシステム１では、医療行為の途中で実行された新たな医療器材の追加についても管理することができる。この場合、医療器材登録部７０ｃは、上述と同様の方法により、新たな医療器材の登録を行う。また、第１のカウント履歴作成部７０ｂは、指示入力に基づいて新たな医療器材のカウントを実行し、新たな医療器材のカウント履歴を作成する。
【００９２】
＝＝端末Ｐ２＝＝
本実施形態に係る端末Ｐ２は、ある医療行為の後に回収された医療器材に含まれる個々の器材のカウントを実行したり、ある医療行為の前後におけるカウント履歴を表示させるための装置として機能する。端末Ｐ２は、通信部８０、記憶部１１０、制御部１２０を備え、表示部９０及び操作部１００に接続されている。
【００９３】
（通信部・表示部・操作部）
通信部８０は、ネットワークＮを介してサーバＳや端末Ｐ１とのデータの送受信を行う。表示部９０は、医療器材の画像や個々の器材のリスト等を表示する。表示部９０は、端末Ｐ２と一体化された構成であってもよい。操作部１００は、マウス等の入力手段である。或いは、タッチパネル方式の表示部９０が操作部１００を兼ねるように構成してもよい。作業者は、操作部１００を介して端末Ｐ２に対する指示入力を行う。操作部１００は、端末Ｐ２と一体化された構成であってもよい。
【００９４】
（記憶部）
記憶部１１０は、各種のデータを記憶する大容量の記憶装置である。図１に示すように、本実施形態では、医療行為記憶部１１０ａ、医療器材記憶部１１０ｂ、使用器材記憶部１１０ｃ、表示レイアウト記憶部１１０ｄが、記憶部１１０の記憶領域の一部として構成される。
【００９５】
本実施形態において、各記憶部は端末Ｐ１の各記憶部と同じデータを記憶している。端末Ｐ１のデータに変更があった場合（たとえば、ある術式に対する医療器材の追加や削除があった場合）、端末Ｐ２は、サーバＳを介して間接的に、或いは端末Ｐ１から直接、変更されたデータを受信し、記憶されているデータの更新を行う。
【００９６】
（制御部）
制御部１２０は、ＣＰＵおよびメモリ（いずれも図示なし）を備える。ＣＰＵは、メモリに記憶された動作プログラムを実行することにより各種の制御機能を実現する。メモリは、ＣＰＵに実行されるプログラムを記憶したり、プログラムの実行時に各種情報を一時的に記憶したりする記憶装置である。制御部１２０は、操作部１００からの信号（指示入力）を検出し、対応する処理を実行する。
【００９７】
本実施形態に係る制御部１２０は、第２の表示処理部１２０ａ及び第２のカウント履歴作成部１２０ｂとして機能する。
【００９８】
［第２の表示処理部］
第２の表示処理部１２０ａは、ある医療行為で使用する医療器材を表示させ、その中から一の医療器材が選択された場合、当該一の医療器材に含まれる個々の器材のカウントを行うための第２のカウント画面を表示させる。第２の表示処理部１２０ａは「表示処理部」の一例であり、第２のカウント画面は「カウント画面」の一例である。
【００９９】
また、第２の表示処理部１２０ａは、ある医療行為の前後におけるカウント履歴を表示部９０に表示させる。第２の表示処理部１２０ａは、サーバＳの記憶部１０に記憶されているカウント履歴からある医療行為について直近のカウント履歴を読み出し、表示部９０に表示させる（詳細は後述）。
【０１００】
［第２のカウント履歴作成部］
第２のカウント履歴作成部１２０ｂは、指示入力に基づいてカウントを実行し、カウント履歴を作成する。カウント履歴（ある医療行為の後におけるカウント履歴）は、医療行為ＩＤと関連付けられて、たとえば記憶部１１０に記憶される。第２のカウント履歴作成部１２０ｂは、「カウント履歴作成部」の一例である。
【０１０１】
また、本実施形態に係る第２のカウント履歴作成部１２０ｂは、カウントを行った作業者を特定するためのユーザー情報（作業者名、作業者ＩＤ等）をカウント履歴と併せて記憶部１１０等に記憶させることも可能である。
【０１０２】
ここで、具体例として、端末Ｐ２において、患者Ｘに対する手術αで使用される医療器材について、手術αの前後におけるカウント履歴を表示させる例について説明を行う。作業者は操作部５０を介して各種入力（選択）を行うとする。
【０１０３】
まず、作業者は、手術αを行った手術室から医療器材を回収した際に、回収された医療器材の確認作業を行う。
【０１０４】
回収した医療器材の確認作業（端末Ｐ２における表示処理及びカウント処理）は、端末Ｐ１における医療器材の確認と同様であるため詳細な説明を省略する。なお、端末Ｐ２においては、第２の表示処理部１２０ａが第１の表示処理部７０ａと同様の処理を実行し、第２のカウント履歴作成部１２０ｂが第１のカウント履歴作成部７０ｂと同様の処理を実行する。
【０１０５】
その後、作業者は、払い出した医療器材が全て揃っているか（回収されているか）の確認を行う。本実施形態では、作業者が手術αの前後におけるカウント履歴を比較することにより確認作業を行う。確認作業を行う場合、第２の表示処理部１２０ａは、確認作業用の画面として、たとえば図６と同様の画面を表示部９０に表示させる。
【０１０６】
ここで、たとえば作業者が「整形基本セット」を選択した場合、第２の表示処理部１２０ａは、「整形基本セット」を回収した後のカウント履歴を記憶部１１０から読み出して表示部９０に表示させる。一方、第２の表示処理部１２０ａは、「整形基本セット」に対する手術αの前のカウント履歴をサーバＳに問い合わせる。サーバＳは、記憶部１０に記憶されたカウント履歴の中から、「整形基本セット」に対する手術αの前のカウント履歴を読み出し、端末Ｐ２に送信する。第２の表示処理部１２０ａは、サーバＳから受信したカウント履歴を表示部９０に表示させる。手術αの前後のカウント履歴は、一つの画面に並べて表示させることでもよいし、切り替えて表示させることでもよい。作業者は表示された手術αの前後におけるカウント履歴を目視で確認することにより、手術前後で器材の紛失が無いか等を把握することができる。
【０１０７】
＝＝システムの処理＝＝
図１４及び図１５を参照して、本実施形態に係るシステム１における処理について説明を行う。ここでは、作業者が手術αの前後におけるカウント履歴を比較する例について述べる。図１４は、システム１において手術αの前に行われる処理を示すフローチャートである。図１５は、システム１において手術αの後に行われる処理を示すフローチャートである。
【０１０８】
作業者は、手術αで使用する医療器材を払い出す前に、手術αに必要な医療器材が全て揃っているかの確認を行う。
【０１０９】
この場合、第１の表示処理部７０ａは、手術αに使用される医療器材を医療器材記憶部６０ｂから読み出し、表示部４０に表示させる（医療器材の表示。Ｓ１０）。
【０１１０】
Ｓ１０で表示された医療器材の変更（追加や削除）がある場合（Ｓ１１でＹの場合）、医療器材登録部７０ｃは、医療器材の追加や削除を行う（医療器材の変更。Ｓ１２）。
【０１１１】
その後、第１のカウント履歴作成部７０ｂは、作業者からの指示入力に基づいて、医療器材に含まれる個々の器材についてカウントを実行し、カウント履歴を作成する（カウント履歴の作成。Ｓ１３）。
【０１１２】
全ての医療器材について個々の器材のカウントが完了し、カウント履歴が作成された場合（Ｓ１４でＹの場合）、第１のカウント履歴作成部７０ｂは、カウント履歴をサーバＳに送信する（カウント履歴の送信。Ｓ１５）。
【０１１３】
サーバＳは、Ｓ１５で送信されたカウント履歴を記憶部１０に記憶する（カウント履歴の記憶。Ｓ１６）。
【０１１４】
手術αが終了した後、作業者は回収された医療器材の確認作業を行う。
【０１１５】
まず、第２の表示処理部１２０ａは、手術αに使用される医療器材を医療器材記憶部６０ｂから読み出し、表示部９０に表示させる（医療器材の表示。Ｓ１７）。
【０１１６】
その後、第２のカウント履歴作成部１２０ｂは、作業者からの指示入力に基づいて、医療器材に含まれる個々の器材についてカウントを実行し、カウント履歴を作成する（カウント履歴の作成。Ｓ１８）。
【０１１７】
全ての医療器材について個々の器材のカウントが完了し、カウント履歴が作成された場合（Ｓ１９でＹの場合）、作業者は、手術αの前に払い出した医療器材が全て回収できているかの確認を行う。
【０１１８】
この場合、第２の表示処理部１２０ａは、記憶部１０に手術αの前に実行されたカウント履歴をサーバＳに要求する（カウント履歴の要求。Ｓ２０）。
【０１１９】
サーバＳは、Ｓ１６で記憶したカウント履歴を端末Ｐ２に送信する（カウント履歴の送信。Ｓ２１）。
【０１２０】
第２の表示処理部１２０ａは、表示部９０にＳ１５で得られたカウント履歴と、Ｓ２１で送信されたカウント履歴とを比較できるように表示する（カウント履歴の表示。Ｓ２２）。作業者は、Ｓ２２での表示を参照し、払い出した医療器材が全て回収されているか等の確認を行うことができる。
【０１２１】
このように本実施形態に係るシステム１によれば、ある医療行為の前後におけるカウント履歴を表示させることができる。従って、作業者は、ある医療行為前後のカウント履歴を目視で比較することにより、医療行為の後に器材が紛失していないか等を確認することができる。すなわち、本実施形態に係るシステム１によれば、医療行為の前後における医療器材の管理を正確に行うことができる。
【０１２２】
＜第２実施形態＞
次に、図１６を参照して、第２実施形態に係る医療器材管理支援システム（以下、「システム１´」という場合がある）について説明する。
【０１２３】
第１実施形態では、ある医療行為の前後におけるカウント履歴を表示させ、作業者が目視で確認する例について述べた。一方、医療行為に用いられる医療器材が多い場合等に、それぞれについて目視で確認することは煩雑であり、確認ミス等が生じる恐れもある。本実施形態では、ある医療行為の前後におけるカウント履歴の確認作業をより容易に行うことができる構成について述べる。なお、第１実施形態と同様の構成については詳細な説明を省略する場合がある。
【０１２４】
＝＝端末Ｐ２＝＝
本実施形態に係る端末Ｐ２は、ある医療行為の後に医療器材に含まれる個々の器材のカウントを実行したり、ある医療行為の前後におけるカウント履歴を比較するための装置として機能する。図１６に示すように、本実施形態に係る制御部１２０は、第２の表示処理部１２０ａ、第２のカウント履歴作成部１２０ｂ、及び比較部１２０ｃとして機能する。
【０１２５】
［比較部］
比較部１２０ｃは、ある医療行為の前後におけるカウント履歴を比較する。
【０１２６】
たとえば、第２のカウント履歴作成部１２０ｂで手術αの後における個々の器材のカウントが実行され、カウント履歴Ｃ−２が得られたとする。第２のカウント履歴作成部１２０ｂは、得られたカウント履歴Ｃ−２を比較部１２０ｃに出力する。
【０１２７】
一方、比較部１２０ｃは、手術αの前におけるカウント履歴Ｃ−１をサーバＳに要求する。サーバＳは、記憶部１０からカウント履歴Ｃ−１を読み出して、端末Ｐ２に送信する。比較部１２０ｃは、カウント履歴Ｃ−１及びカウント履歴Ｃ−２に基づいて、医療器材毎に、個々の医療器材の比較を行う。比較は、カウント履歴に含まれる医療器材及び個々の器材の数量が一致しているかについて、リストや画像の一致・不一致を確認することにより行われる。
【０１２８】
比較部１２０ｃは、比較結果を表示部９０に表示させる。たとえば、比較結果が一致している場合、「全て回収済み」という文字を表示部９０に表示させる。一方、足りない器材がある場合、比較部１２０ｃは、表示部９０に足りない器材名や器材の画像と数量を表示させる。なお、ディスポーザブル品やインプラント品を含む場合、医療行為の前後でカウント履歴が異なるため、足りない器材として表示されることになる。しかし、表示部９０に表示された器材名や写真を確認することで作業者は不足分がディスポーザブル品やインプラント品であることを容易に把握できる。
【０１２９】
なお、本実施形態では端末が比較部を有する例について述べたがこれに限られない。たとえば、比較部をサーバＳに設けることも可能である。この場合、端末Ｐ１は医療行為の前におけるカウント履歴Ｃ−１をサーバＳに送信する。また、端末Ｐ２は医療行為の後におけるカウント履歴Ｃ−２をサーバＳに送信する。サーバＳの比較部は、これらのカウント履歴を比較し比較結果を端末Ｐ２に送信する。第２の表示処理部１２０ａは、受信した比較結果を表示部９０に表示させる。このような構成であっても作業者は医療行為の後に器材が紛失していないか等を確認することができる。
【０１３０】
このように本実施形態に係るシステム１´によれば、ある医療行為の前後におけるカウント履歴を比較することができる。従って、作業者は、その比較結果を確認することにより、医療行為の後に器材が紛失していないか等をより容易に確認することができる。すなわち、本実施形態に係るシステム１´によれば、医療行為の前後における医療器材の管理をより正確に行うことができる。
【０１３１】
＜その他＞
上記実施形態では、サーバＳ及び複数の端末（端末Ｐ１、端末Ｐ２）を有する構成について説明したが、本発明に係る医療器材管理支援システムはこれに限定されない。たとえば、一の端末及びサーバを用いた医療器材管理支援システムを構成することも可能である。この場合、一の端末における表示処理部が第１の表示処理部７０ａ及び第２の表示処理部１２０ａの機能を兼ね、一の端末におけるカウント履歴作成部が第１のカウント履歴作成部７０ｂ及び第２のカウント履歴作成部１２０ｂの機能を兼ねる。或いは、サーバＳを介さず、一の端末のみ（或いは複数の端末）で医療行為の前後におけるカウント履歴の表示や比較を行うことも可能である。この場合、一の端末（複数の端末）が医療器材管理支援システムに相当する。
【０１３２】
また、上記実施形態では、医療行為の前後でそれぞれ個別に実行したカウントに基づくカウント履歴を比較する例について説明を行った。一方、ある医療行為の後に医療器材をカウントする際に、医療行為の前におけるカウント履歴を用いることも可能である。
【０１３３】
この例における第１のカウント履歴作成部は、上記実施形態と同様、カウント履歴を作成し、作成したカウント履歴を記憶部（たとえば、サーバＳの記憶部１０）に記憶させる。
【０１３４】
一方、この例における第２の表示処理部は、指示入力に基づいて記憶部１０からカウント履歴を読み出し、第２のカウント画面を表示部９０に表示させる。すなわち、この場合に第２のカウント画面に表示される器材等は、第１のカウント履歴作成部におけるカウント結果が反映されたものとなっている。
【０１３５】
作業者は第２のカウント画面と手元にある回収後の医療器材とを対比しながら、指示入力を行う。この例における第２のカウント履歴作成部は、当該指示入力に基づいて、第２のカウント画面において個々の器材のカウントを実行し、医療行為の後のカウント履歴を作成する。
【０１３６】
このような構成により、たとえば、医療行為の前におけるカウントで器材の一部に欠品がある場合には、第２のカウント画面においてその情報を直接示すことができる。従って、作業者は欠品等の状況を把握し易くなる。
【０１３７】
上記実施形態のプログラムが記憶された非一時的なコンピュータ可読媒体（non-transitory computer readable medium with an executable program thereon）を用いて、コンピュータにプログラムを供給することも可能である。なお、非一時的なコンピュータの可読媒体の例は、磁気記録媒体（例えばフレキシブルディスク、磁気テープ、ハードディスクドライブ）、ＣＤ−ＲＯＭ（Read Only Memory）等がある。
【０１３８】
上記実施形態は、発明の例として提示したものであり、発明の範囲を限定するものではない。上記の構成は、発明の要旨を逸脱しない範囲で、種々の省略、置き換え、変更を行うことができる。上記実施形態やその変形は、発明の範囲や要旨に含まれると同様に、特許請求の範囲に記載された発明とその均等の範囲に含まれる。
【符号の説明】
【０１３９】
１  医療器材管理支援システム（システム）
１０、６０、１１０  記憶部
７０ａ  第１の表示処理部
７０ｂ  第１のカウント履歴作成部
１２０ａ  第２の表示処理部
１２０ｂ  第２のカウント履歴作成部
Ｐ１、Ｐ２  端末
Ｓ  サーバ
【図１】
2018029755.tif 000003
【図２】
2018029755.tif 000004
【図３】
2018029755.tif 000005
【図４】
2018029755.tif 000006
【図５】
2018029755.tif 000007
【図６】
2018029755.tif 000008
【図７Ａ】
2018029755.tif 000009
【図７Ｂ】
2018029755.tif 000010
【図７Ｃ】
2018029755.tif 000011
【図８Ａ】
2018029755.tif 000012
【図８Ｂ】
2018029755.tif 000013
【図８Ｃ】
2018029755.tif 000014
【図８Ｄ】
2018029755.tif 000015
【図９】
2018029755.tif 000016
【図１０Ａ】
2018029755.tif 000017
【図１０Ｂ】
2018029755.tif 000018
【図１０Ｃ】
2018029755.tif 000019
【図１１Ａ】
2018029755.tif 000020
【図１１Ｂ】
2018029755.tif 000021
【図１１Ｃ】
2018029755.tif 000022
【図１１Ｄ】
2018029755.tif 000023
【図１２Ａ】
2018029755.tif 000024
【図１２Ｂ】
2018029755.tif 000025
【図１２Ｃ】
2018029755.tif 000026
【図１２Ｄ】
2018029755.tif 000027
【図１３Ａ】
2018029755.tif 000028
【図１３Ｂ】
2018029755.tif 000029
【図１３Ｃ】
2018029755.tif 000030
【図１３Ｄ】
2018029755.tif 000031
【図１４】
2018029755.tif 000032
【図１５】
2018029755.tif 000033
【図１６】
2018029755.tif 000034